(57)【要約】【課題】そこで、本発明は、台紙上に剥離可能な状態で設けられている剥離紙片をコーナー部分から剥離させる際でも、簡単に切り取ることができ、更に、その剥離紙片の裏面を記入部として用いることができるようにして、剥離紙片の裏面を有効利用できるようにして、剥離紙片の利便性を高めた剥離紙片付き台紙を提供する。【解決手段】台紙上の所定部分に剥離紙片が設けられた剥離紙片付き台紙であって、前記剥離紙片には、切り取りミシンが形成されて、前記切り取りミシンで囲まれた領域の内側部分と、前記切り取りミシンで囲まれた領域の外側部分と、からなり、前記内側部分の裏面の周縁部と、前記台紙の表面と、が剥離可能に擬似接着され、前記外側部分の裏面の周縁部と、前記台紙の表面と、が剥離可能に擬似接着され、前記外側部分の一部分にコーナーカットが形成されている。【選択図】        図１
2011115993.tif 000002
【特許請求の範囲】
【請求項１】
台紙上の所定部分に剥離紙片が設けられた剥離紙片付き台紙であって、
前記剥離紙片には、切り取りミシンが形成されて、前記切り取りミシンで囲まれた領域の内側部分と、前記切り取りミシンで囲まれた領域の外側部分と、からなり、
前記内側部分の裏面の周縁部と、前記台紙の表面と、が剥離可能に擬似接着され、
前記外側部分の裏面の周縁部と、前記台紙の表面と、が剥離可能に擬似接着され、
前記外側部分の一部分にコーナーカットが形成されていることを特徴とする剥離紙片付き台紙。
【請求項２】
前記コーナーカットが、剥離可能に擬似接着されている部分と、剥離可能に擬似接着されていない部分とに跨って形成されていることを特徴とする請求項１に記載の剥離紙片付き台紙。
【請求項３】
前記剥離紙片が、矩形形状を有し、
前記切り取りミシンが四角形で形成され、
前記剥離紙片の周縁部分から前記切り取りミシンが形成されている部分までの幅寸法のうち、剥離可能に擬似接着されている部分の幅寸法が、剥離可能に擬似接着されていない部分の幅寸法よりも狭い状態で設けられていることを特徴とする請求項１または請求項２に記載の剥離紙片付き台紙。
【請求項４】
前記切り取りミシンが、カット部とアンカット部の長さがそれぞれ１．０ｍｍ以下に設定されたマイクロミシンであることを特徴とする請求項１から請求項３のいずれかに記載の剥離紙片付き台紙。
【請求項５】
前記内側部分の裏面領域のうち、前記内側部分の裏面の周縁部と、前記台紙の表面と、が剥離可能に擬似接着されていない領域に、記入欄が表示されていることを特徴とする請求項１から請求項４のいずれかに記載の剥離紙片付き台紙。
【発明の詳細な説明】
【技術分野】
【０００１】
本発明は、クーポン券、カード、チケット、などに使用する剥離紙片が、台紙上の一部に剥離可能な状態で設けられている剥離紙片付き台紙に関する。
【背景技術】
【０００２】
従来、クーポン券、カード、チケット、などの媒体を封筒に入れて顧客などに送る場合には、必要事項がプリント印字された台紙にそれらの媒体を様々な方法で設けた構成のものを使用している。
例えば、台紙の一部をカード部にして、そのカード部に保護フィルムを接着させた構成のものや、基材面の所定部にカード保持部を設けて、そのカード保持部にカードを剥離可能に接着させる際において、カードの裏面に施された放射線硬化型樹脂の硬化層と、カード保持部の表面に施された放射線硬化型樹脂の硬化層と、を擬似接着させる構成のものなどが知られている。（例えば、特許文献１〜３、参照）
【０００３】
しかしながら、それらの台紙に設けた媒体の使用目的において、その裏面に手書きで様々な事項を記入する場合もあり、その場合には剥離紙片を筆記性の良い状態に保つ必要がある。
例えば、媒体がクーポン券である場合に、クーポン券情報を管理する目的などで、そのクーポン券の裏面にクーポン券が使用された際の日時や使用者名などを記入し、また媒体がカードである場合に、そのカード使用者の名前をカード裏面に記入するなど、様々な理由で台紙に設けた剥離紙片の裏面を記入部として用いる場合がある。
【０００４】
上記のような台紙に設けた剥離紙片の裏面を記入部として用いる場合には、従来のようにカード部に保護フィルムを接着させた構成のものや、カードの裏面に放射線硬化型樹脂の硬化層を設けた構成のものでは、筆記性が悪いという問題がある。
【先行技術文献】
【特許文献】
【０００５】
【特許文献１】特開２００３−２６０８８７号公報
【特許文献２】特開平１１−２１６９７０号公報
【特許文献３】特開２００５−２２５２１２号公報
【発明の概要】
【発明が解決しようとする課題】
【０００６】
そこで、本発明は、台紙上に剥離可能な状態で設けられている剥離紙片をコーナー部分から剥離させる際でも、簡単に切り取ることができ、更に、その剥離紙片の裏面を記入部として用いることができるようにして、剥離紙片の裏面を有効利用できるようにして、剥離紙片の利便性を高めた剥離紙片付き台紙を提供する。
【課題を解決するための手段】
【０００７】
本発明の剥離紙片付き台紙は、台紙上の所定部分に剥離紙片が設けられた剥離紙片付き台紙であって、前記剥離紙片には、切り取りミシンが形成されて、前記切り取りミシンで囲まれた領域の内側部分と、前記切り取りミシンで囲まれた領域の外側部分と、からなり、前記内側部分の裏面の周縁部と、前記台紙の表面と、が剥離可能に擬似接着され、前記外側部分の裏面の周縁部と、前記台紙の表面と、が剥離可能に擬似接着され、前記外側部分の一部分にコーナーカットが形成されていることを特徴とする。
【０００８】
また、本発明の剥離紙片付き台紙は、前記コーナーカットが、剥離可能に擬似接着されている部分と、剥離可能に擬似接着されていない部分とに跨って形成されていることを特徴とする。
【０００９】
更に、本発明の剥離紙片付き台紙は、前記剥離紙片が、矩形形状を有し、前記切り取りミシンが四角形で形成され、前記剥離紙片の周縁部分から前記切り取りミシンが形成されている部分までの幅寸法のうち、剥離可能に擬似接着されている部分の幅寸法が、剥離可能に擬似接着されていない部分の幅寸法よりも狭い状態で設けられていることを特徴とする。
【００１０】
また、本発明の剥離紙片付き台紙は、前記切り取りミシンが、カット部とアンカット部の長さがそれぞれ１．０ｍｍ以下に設定されたマイクロミシンであることを特徴とする。
【００１１】
更に、本発明の剥離紙片付き台紙は、前記内側部分の裏面領域のうち、前記内側部分の裏面の周縁部と、前記台紙の表面と、が剥離可能に擬似接着されていない領域に記入欄が表示されていることを特徴とする。
【発明の効果】
【００１２】
したがって、本発明の剥離紙片付き台紙は、剥離紙片の切り取りミシンで囲まれた領域の内側部分の裏面の周縁部と、前記台紙の表面と、が剥離可能に擬似接着され、その外側部分の一部分にコーナーカットが形成されているので、剥離紙片をコーナー部分から剥離させる際でも、簡単に切り取ることができるという効果がある。
【００１３】
また、本発明の剥離紙片付き台紙は、コーナーカットが、剥離可能に擬似接着されている部分と、剥離可能に擬似接着されていない部分とに跨って形成されているので、コーナーカットから指で剥離紙片の外側部分を摘んで剥離させる際でも、摘みやすくて剥離しやすいという効果がある。
【００１４】
更に、本発明の剥離紙片付き台紙は、剥離紙片の周縁部分から前記切り取りミシンが形成されている部分までの幅寸法のうち、剥離可能に擬似接着されている部分の幅寸法が、剥離可能に擬似接着されていない部分の幅寸法よりも狭い状態で設けられているので、剥離紙片の周縁部分を切り取りミシンから切り取る場合でも、剥離紙片の周縁部分が切り取る途中で切れるということを防止することができるという効果がある。
【００１５】
また、本発明の剥離紙片付き台紙は、切り取りミシンがマイクロミシンで形成されているので、剥離紙片の周縁部分を切り取りミシンから切り取る場合でも、剥離紙片の周縁部分を切り取りやすいという効果がある。
【００１６】
更に、本発明の剥離紙片付き台紙は、剥離紙片の裏面領域のうち、剥離可能に擬似接着されていない領域に記入欄が表示されているので、剥離紙片を剥離した際に使用情報などを記入して情報管理することができるという効果がある。
【図面の簡単な説明】
【００１７】
【図１】本発明の実施形態に係る剥離紙片付き台紙の平面図である。
【図２】図１のＡ−Ａ線断面図である。
【図３】図１のＢ−Ｂ線断面図である。
【図４】本発明の実施形態に係る剥離紙片付き台紙において、剥離紙片と台紙とを分離させた状態を示す平面図である。
【図５】本発明の実施形態に係る剥離紙片付き台紙において、離紙片の切り取りミシンから周縁部分の一部を剥離させた状態を示す平面図である。
【図６】本発明の実施形態に係る剥離紙片付き台紙において、剥離紙片の切り取りミシンから内側領域の一部分を剥離させた状態を示す平面図である。
【発明を実施するための形態】
【００１８】
以下、本発明の実施形態に係る剥離紙片付き台紙を図面に基づいて詳細に説明する。
図１乃至図３に示すように、本発明の実施形態に係る剥離紙片付き台紙１は、台紙２の表面の所定部分に剥離紙片３が剥離可能な状態で設けられている。
台紙２は、横方向に長い矩形形状で形成され、窓開き封筒に台紙２を入れた際に、窓開き封筒に設けられた窓部から見える位置に宛先情報記載部４が設けられている。
剥離紙片３は、正方形で形成されており、剥離紙片３の外周縁部に沿って切り取りミシン５が四角形で形成され、切り取りミシン５で囲まれた領域の内側部分３ａと、前記切り取りミシンで囲まれた領域の外側部分３ｂとからなる。
【００１９】
また、切り取りミシン５は、カット部とアンカット部の長さがそれぞれ１．０ｍｍ以下に設定されたマイクロミシンであることが好ましい。
それは、切り取りミシン５にマイクロミシンを使用することで、切り取りミシン５で囲まれた領域の内側部分３ａの周縁部を切り取りミシン５から切り取った際に、その切り取り部分に凹凸が生じることを防止することができる。
また、切り取り部分の凹凸を少なくすることで、剥離紙片３の切り取りミシン５で囲まれた領域の内側部分３ａを媒体として使用する際にも取り扱いやすく、また見た目にも綺麗な切り口となり、周縁部を切り取った後の部分をクーポンやチケットとして使用する際にも凹凸により指を切るなどの怪我防止にもなるという利点があるからである。
【００２０】
また、剥離紙片３の切り取りミシン５で囲まれた領域の内側部分であって、剥離紙片３の裏面の周縁部と、台紙１の表面とは、剥離可能に擬似接着されている。
更に、剥離紙片３の切り取りミシン５で囲まれた領域の外側部分であって、剥離紙片３の裏面の周縁部と、台紙１の表面とは、剥離可能に擬似接着されており、その外側部分の一部分にコーナーカット１０が形成されている
上記した剥離可能に擬似接着する方法としては、公知の擬似接着の構成を用いればどのような構成であってもよい。
尚、剥離可能に擬似接着する方法としては種々あるが、この実施形態の説明においては、剥離可能に擬似接着する構成として、接着剤層と剥離剤層とを対接することで剥離可能な状態で接着する場合について説明する。
【００２１】
図２乃至図４に示すように、剥離紙片３には、切り取りミシン５が形成された四角部分から外側部分の裏面領域に接着剤層７が設けられている。
また、剥離紙片３を台紙２に重ね合わせた際に、剥離紙片３の裏面に設けられている接着剤層７と接する台紙２の表面部分の領域に剥離剤層８が設けられている。
更に、切り取りミシン５が形成された四角部分から内側部分の裏面の周縁部にも接着剤層９が設けられ、剥離紙片３を台紙２に重ね合わせた際に、剥離紙片３の裏面に設けられている接着剤層９と接する台紙２の表面部分の領域に剥離剤層１０が設けられている。
そして、図１に示すように剥離紙片３の角部分には、指で摘むためのコーナーカット１１が形成されており、このコーナーカット１１から剥離紙片３を指で摘んで剥離できるようになっている。
このコーナーカット１１は、剥離可能に擬似接着されている部分と、剥離可能に擬似接着されていない部分とに跨って形成されており、その擬似接着されていない部分から摘みやすくなっている。
【００２２】
また、剥離紙片3において、剥離紙片３の周縁部分からその周縁部分に最も近い位置に形成されている切り取りミシン５までの幅寸法のうち、接着剤層７と剥離剤層８が設けられ、剥離可能に擬似接着されている領域の部分の幅寸法が、剥離可能に擬似接着されていない部分の領域の幅寸法よりも狭い寸法として形成されている。
尚、上記のように、接着剤層７，９と剥離剤層８，１０とを対接させて擬似接着する方法の他に、それらの部分に放射線硬化型樹脂の硬化層をそれぞれ設けることで、放射線硬化型樹脂の硬化層同士を対接させて、剥離可能に擬似接着させる構成としてもよい。
【００２３】
図４には、剥離紙片３と台紙２とを分離させた状態を示す平面図が示されているが、剥離紙片３の裏面であって、切り取りミシン５が形成された四角部分から内側部分の裏面側には、記入欄１２が印刷され表示されている。
この記入欄１２は、剥離紙片３の使用用途に応じて様々な内容のものを表示させておけばよいが、図４では、クーポン券を有する剥離紙片３を使用者が使用した際に使用者情報管理を行えるように、「使用日」と「使用者」とを記入するための記入欄が設けられている。
【００２４】
次に、本発明の実施形態に係る剥離紙片付き台紙１の使用方法を説明する。
例えば、図１に示すような、クーポン券を有する剥離紙片３を台紙２に添付させて顧客などに送る場合について説明する。
まず、台紙２の宛先情報記載部４に住所や氏名などの宛先情報を表示させて、窓開き封筒に剥離紙片付き台紙１を封入させて送付させる。
そして、その封筒の受取人は、開封して剥離紙片付き台紙１を取り出した後に、図５に示すように、剥離紙片３の左下部分に形成されているコーナーカット１１の部分を指で摘んでめくり上げる。
この際に、剥離紙片３の切り取りミシン５で囲まれている四角部分の内側部分３ａには、接着剤層９により剥離可能な状態で擬似接着されているので、剥離紙片３の切り取りミシン５からその外側部分が切り取られ、剥離紙片３の切り取りミシン５で囲まれている四角部分の内側部分３ａだけが残った状態となる。
【００２５】
次に、その受取人は、図６に示すように、剥離紙片３の切り取りミシン５で囲まれている四角部分の内側部分３ａを指で摘んでめくり上げることで、擬似接着されている内側部分３ａを台紙２から剥離させることができる。
これにより、剥離紙片３の切り取りミシン５で囲まれている四角部分の内側部分３ａをクーポン券などとして利用することができる。
また、内側部分３ａの裏面には、「使用日」と「使用者」とを記入するための記入欄１２が設けられているので、クーポン券などとして使用する際に顧客などの顧客管理情報として記入して管理する。
そして、内側部分３ａの裏面の記入欄１２の領域には、剥離剤層や接着剤層などが設けられていないので、記入欄１２に記入を行う際でも、筆記に支障がなく文字を鮮明に記載することができる。
【符号の説明】
【００２６】
１  剥離紙片付き台紙
２  台紙
３  剥離紙片
３ａ  剥離紙片の切り取りミシンで囲まれている四角部分の内側部分
３ｂ  剥離紙片の切り取りミシンで囲まれている四角部分の外側部分
４  宛先情報記載部
５  切り取りミシン
７，９  剥離剤層
８，１０  接着剤層
１１  コーナーカット
１２  記入欄
【図１】
2011115993.tif 000003
【図２】
2011115993.tif 000004
【図３】
2011115993.tif 000005
【図４】
2011115993.tif 000006
【図５】
2011115993.tif 000007
【図６】
2011115993.tif 000008